(57)【要約】【課題】床の太鼓現象を防止すると共に、空気と共に抜け出る床下音の床上への直接伝搬を抑制し、室内騒音を低減する幅木を提供する。【解決手段】幅木１は、床下空間と床上空間とを連通する空気連通手段としての蛇行連通路１ａによって、床下から流入した空気を通路の途中で左右に分流し再び合流させて、他方の通路から分流して来た空気と互いに衝突させて、渦等の通気抵抗を生じさせる。このような幅木１の連通作用と抵抗作用により、床の太鼓現象を防止すると共に、空気に含まれる床下音を床上へ直に伝わることを防止し、室内騒音を低減する効果が得られる。【選択図】　　　　図１
2004036196.tif 000002
【特許請求の範囲】
【請求項１】
床下空間と床上空間とを連通する空気連通手段を有する幅木であって、前記幅木の背面に前記空気連通手段として蛇行連通路を設けたことを特徴とする幅木。
【請求項２】
床下空間と床上空間とを連通する空気連通手段を有する幅木であって、前記幅木は前面幅木と後面幅木とからなり、前記後面幅木の背面に前記空気連通手段として蛇行連通路を設けたことを特徴とする幅木。
【請求項３】
前記蛇行連通路を塞ぐ通気抵抗手段を設けたことを特徴とする請求項１または請求項２に記載の幅木。
【請求項４】
床下空間と床上空間とを連通する空気連通手段を有する幅木であって、前記空気連通手段として前記幅木の背面に直行連通路を設け、且つ当該直行連通路を塞ぐ通気抵抗手段を設けたことを特徴とする幅木。
【請求項５】
前記幅木底部に振動伝搬防止手段を設けたことを特徴とする請求項１から請求項４のいずれかに記載の幅木。
【請求項６】
前記幅木底部から下方に延長した定規を設けたことを特徴とする請求項１から請求項５のいずれかに記載の幅木。
【請求項７】
幅木先行工法に用いられて床と壁との壁際を仕上げる幅木であって、前記幅木底部から下方に延長した定規を有することを特徴とする幅木。
【請求項８】
床下空間と床上空間とを連通する空気連通手段を有する幅木であって、前記幅木を、前面幅木と後面幅木とから構成し、前記前面幅木の背面に前記空気連通手段としての蛇行連通路を形成する前記後面幅木を、合成樹脂から一体成形したことを特徴とする幅木。
【請求項９】
床下空間と床上空間とを連通する空気連通手段を有する幅木であって、前記幅木の床に接する底部に可逆通気性を有する軟質部材からなる前記空気連通手段を設けたことを特徴とする幅木。
【発明の詳細な説明】
【０００１】
【発明の属する技術分野】
本発明は、家屋やマンション等の壁際に使用される建材としての幅木に関する。
【０００２】
【従来の技術】
従来技術の幅木として、特許第３１７１３５６号公報および特許第３１７１３５８号公報の床構造に開示されたものがある。例えば、図１９に示す床構造は、床基盤２０の所定位置に複数の支持脚２１を立て、この支持脚２１上に横に延ばしてきわ根太２３を載せ、壁基盤２４に貼った壁２６と床２５との間に隙間３２を設けて、その床２５をきわ根太２３上に置き、隙間３２を隠しながら壁際を仕上げる機能を持つ幅木１８を取り付けたものである。
そして、幅木１８は、床下空間３０と床上空間３１とを連通する空気連通手段１８ａをその内部に有し、床下空間３０の空気を隙間３２から空気連通手段１８ａを経て床上空間３１に逃がし、床下に密封された空気の圧縮・膨張（いわゆる床の太鼓現象）を防止して、床２５に加えられた衝撃による固体伝搬音（床振動）の増幅を抑え、また隣室等への伝搬を抑えて騒音発生を防ぐ機能を持っている。
また、図示しないが幅木本体部材と幅木化粧部材と連通用部材との３部材を使って内部に空気連通手段１８ａを形成する幅木が開示されている。
一方、床構造の標準的な施工として、図２０（ａ）、（ｂ）に示す工法がある。即ち、床基盤２０に立てた支持脚２２にきわ根太２３を載せ、このきわ根太２３に壁２６に当てつつ床２５を置き、その後に幅木１９を取り付けて壁際を仕上げる手順の幅木後付工法である。この幅木後付工法に対して、図２１（ａ）、（ｂ）に示す幅木先行工法があり、きわ根太２３と幅木１９の間に所定の隙間３３を設けつつ壁２６に幅木１９を先に取り付けて、その隙間３３に床２５を挿入しながらきわ根太２３に後から置く工法である。
【０００３】
【発明が解決しようとする課題】
しかしながら、上記従来技術の幅木に、次のような課題がある。（１）幅木１８の空気連通手段１８ａにより、床下空間３０と床上空間３１を連通して固体伝搬音（床振動）の増幅を抑えることはできるが、床下空間３０で発生した空気伝搬音（床下音）が空気と共に床上空間３１である室内に直に伝わるので、この床下音による室内騒音が問題となる。
また、隙間３２により床２５と壁２６とを離間しているが、幅木１８が床２５と壁２６に接しているので、床振動が幅木１８を介して壁２６に伝搬し、壁振動による室内騒音が問題となる。
また、幅木１８に空気連通手段１８ａを形成するための部材が複数個あり、構造が複雑化しているという問題がある。
一方、幅木を先に取り付けて床を後から挿入するという幅木先行工法には、幅木・根太間の隙間を床の厚さに予め合わせて置くという合わせ作業があり、従来の幅木はこの合わせ作業のある幅木先行工法には向かないという問題がある。
【０００４】
従って、本発明の目的は、床の太鼓現象を防止すると共に、床下音の床上への直接伝搬を抑えて、室内騒音を低減することができる幅木を提供することにある。
また、床振動の壁への伝搬を抑止し、室内騒音を低減することができる幅木を提供することにある。
また、空気連通手段を簡単な構造で形成することができる幅木を提供することにある。
一方、幅木・根太間の隙間と床の厚さの合わせ作業が容易となり、幅木先行工法に好適な幅木を提供することにある。
【０００５】
【課題を解決するための手段】
請求項１記載の本発明は、床下空間と床上空間とを連通する空気連通手段を有する幅木であって、前記幅木の背面に前記空気連通手段として蛇行連通路を設けたことを特徴とする。
請求項２記載の本発明は、床下空間と床上空間とを連通する空気連通手段を有する幅木であって、前記幅木は前面幅木と後面幅木とからなり、前記後面幅木の背面に前記空気連通手段として蛇行連通路を設けたことを特徴とする。
請求項３記載の本発明は、請求項１または請求項２に記載の幅木において、前記蛇行連通路を塞ぐ通気抵抗手段を設けたことを特徴とする。
請求項４記載の本発明は、床下空間と床上空間とを連通する空気連通手段を有する幅木であって、前記空気連通手段として前記幅木の背面に直行連通路を設け、且つ当該直行連通路を塞ぐ通気抵抗手段を設けたことを特徴とする。
請求項５記載の本発明は、請求項１から請求項４のいずれかに記載の幅木において、前記幅木底部に振動伝搬防止手段を設けたことを特徴とする。
請求項６記載の本発明は、請求項１から請求項５のいずれかに記載の幅木において、前記幅木底部から下方に延長した定規を設けたことを特徴とする。
請求項７記載の本発明は、幅木先行工法に用いられて床と壁との壁際を仕上げる幅木であって、前記幅木底部から下方に延長した定規を有することを特徴とする。
請求項８記載の本発明は、床下空間と床上空間とを連通する空気連通手段を有する幅木であって、前記幅木を、前面幅木と後面幅木とから構成し、前記前面幅木の背面に前記空気連通手段としての蛇行連通路を形成する前記後面幅木を、合成樹脂から一体成形したことを特徴とする。
請求項９記載の本発明は、床下空間と床上空間とを連通する空気連通手段を有する幅木であって、前記幅木の床に接する底部に可逆通気性を有する軟質部材からなる前記空気連通手段を設けたことを特徴とする。
【０００６】
【発明の実施の形態】
本発明の第１の実施の形態は、幅木の背面に床下空間と床上空間とを連通する空気連通手段として蛇行連通路を設けたものである。本実施の形態によれば、蛇行連通路を通り床下から床上に抜け出る空気は、当該蛇行連通路で分流してぶつかり合うことにより自ら通気抵抗を生じ、その抵抗が空気と共に抜け出る床下音が直に床上へ伝わることを防止し、室内騒音を低減する幅木を提供することができる。
【０００７】
本発明の第２の実施の形態は、幅木が前面幅木と後面幅木とからなり、後面幅木の背面に床下空間と床上空間とを連通する空気連通手段として蛇行連通路を設けたものである。本実施の形態によれば、床下から床上に抜け出る空気は、蛇行連通路で分流してぶつかり合うことによりそのエネルギーを減らすので、床下音の床上への直接伝搬が抑制されて、室内騒音を低減することができる。
【０００８】
本発明の第３の実施の形態は、第１から第２の実施の形態による幅木において、蛇行連通路を塞ぐ通気抵抗手段を設けたものである。本実施の形態によれば、通気抵抗手段が抵抗となり、床下音を含む空気の床上へ直接的な流出を抑えて、室内騒音を低減することができる。
【０００９】
本発明の第４の実施の形態は、空気連通手段として幅木の背面に直行連通路を設け、且つこの直行連通路を塞ぐ通気抵抗手段を設けたものである。本実施の形態によれば、直行連通路を通り床下から床上に抜け出る床下音を含む空気は、通気抵抗手段の通気抵抗により、床上への直接的な流出が抑えられる。従って、室内騒音を低減することのできる幅木を提供することができる。
【００１０】
本発明の第５の実施の形態は、第１から第４の実施の形態による幅木において、幅木底部に振動伝搬防止手段を設けたものである。本実施の形態によれば、振動伝搬防止手段が床から幅木に伝わる振動を吸収するので、床振動が幅木を介して壁に伝搬することを防止し、室内等の騒音禍を回避することができる。
【００１１】
本発明の第６の実施の形態は、第１から第５の実施の形態による幅木において、幅木底部から下方に延長した定規を設けたものである。本実施の形態によれば、定規が床の厚さに対応する幅木・根太間の隙間を確保するので、幅木を取り付けた後の隙間に床を挿入する幅木先行工法の合わせ作業を容易にすることができる。
【００１２】
本発明の第７の実施の形態は、幅木先行工法に用いられて床と壁との壁際を仕上げる幅木が、その底部から下方に延長した定規を有するものである。本実施の形態によれば、床の厚さに適応した幅木・根太間の隙間が定規により定められるので、先に幅木を取り付け後から床を挿入する作業が容易になる。
【００１３】
本発明の第８の実施の形態は、床下空間と床上空間とを連通する空気連通手段を有する幅木であって、幅木を、前面幅木と後面幅木とから構成し、前面幅木の背面に空気連通手段としての蛇行連通路を形成する後面幅木を、合成樹脂から一体成形したものである。本実施の形態によれば、空気連通手段としての蛇行連通路を形成する後面幅木を合成樹脂で一体成形するので、空気連通手段を簡単な構造で形成することができる。
【００１４】
本発明の第９の実施の形態は、床下空間と床上空間とを連通する空気連通手段を有する幅木であって、幅木の床に接する底部に可逆通気性を有する軟質部材からなる空気連通手段を設けたものである。本実施の形態によれば、幅木の底部に設けた可逆通気性を有する軟質部材が、床下空間と床上空間とを連通して床の太鼓現象を防止し、また通気抵抗となって床下音の床上への直接伝搬を抑え、さらにクッションとしても作用し床振動の壁への伝搬を抑止して、室内騒音を低減することができる。
【００１５】
【実施例】
以下、本発明による一実施例の幅木について、図面を参照して説明する。
（実施例１）
本発明による第１実施例の幅木について、図１の第１実施例の幅木を背面側から見て示した斜視図と、図２の第１実施例の幅木を用いた床構造を示す断面図を参照して説明する。図１に示す幅木１は、略クランク形状が連なった連続溝からなって上下方向を連通する蛇行連通路１ａを、当該幅木１の背面に設けた構成である。この蛇行連通路１ａは、図中に示す矢印のように、幅木１の下部から当該通路に流入した空気を、通路の途中で左右に分流し再び合流させて、幅木１の上部から流出し、床下空間と床上空間とを連通する空気連通手段を形成している。また、図２に示す床構造は、床基盤２０の所定位置に複数の支持脚２１を立て、この支持脚２１上に横に延長したきわ根太２３を載せ、壁基盤２４に貼り付けた壁２６と床２５との間に隙間３２を設けて、そのきわ根太２３上に床２５を置き、最後に壁際の隙間３２を隠して幅木１を取り付け仕上げたものである。
この床構造に用いられた幅木１により、床下空間３０の空気を隙間３２から空気連通手段としての蛇行連通路１ａを経由して床上空間３１に逃がし、床下に密封される空気の圧縮・膨張を防止している。尚、圧縮のときは床下から床上へ、膨張のときは床上から床下へ、隙間３２及び蛇行連通路１ａを通って空気が流れることが、即ち、太鼓現象を防止するためには、空気の出し入れを行うことが必要である。また厳密に言えば、空気の出し入れを行うための空気連通手段は、蛇行連通路１ａとこの蛇行連通路１ａを塞ぐ壁２６とから形成される空間（通路）であるが、本発明においては、当該空間を広義の空気連通手段と、蛇行連通路１ａを狭義の空気連通手段と解釈する。
上記構成の幅木１において、蛇行連通路１ａは、床下から流入した空気を途中で曲げて左右に分流し再び合流させるとき、他方の通路から分流して来た空気と互いに衝突させて、渦等の通気抵抗を生じさせる。この通気抵抗により、空気に含まれる床下音が床上へ直に伝わることを防止し、室内騒音を低減する効果が得られる。即ち、本第１実施例の構成によって、幅木１の蛇行連通路１ａが床下空間３０と床上空間３１とを連通して、いわゆる床の太鼓現象を防止すると共に、空気と共に抜け出る床下音の床上への直接伝搬を抑制し、室内騒音を低減する幅木を提供することができる。
尚、第１実施例の幅木１として、例えば、幅木本体としてのパーティクルボードに表装材としての化粧シートを貼って作成したものがある。幅木本体が圧縮成形材の一種であるパーティクルボードであれば、連続クランク形状の溝からなる蛇行連通路１ａを、当該パーティクルボードの背面に容易に成形することができるので、製作性やコスト等の点から好ましいと言える。しかし、無垢板材に蛇行連通路１ａを彫り込んで本実施例の幅木を製作することも可である。
【００１６】
（実施例２）
次に、第２実施例の幅木について説明する。図３は、本発明による第２実施例の幅木を背面側から見て示した斜視図であり、図４は、第２実施例の幅木を用いた床構造を示す断面図である。
図３に示す幅木２は、前面幅木３と、背面にクランク形状の蛇行溝を形成し上下方向に連通する蛇行連通路４ａを有する後面幅木４とから構成される。
また、図４に示す床構造は、床基盤２０の所定位置に複数の支持脚１７を立て、床２５を支持脚１７の先端に嵌めて載置する。このとき、壁基盤２４に取り付けた壁２６と床２５との間に隙間３２を設ける。そして、この隙間３２を隠すように壁際に幅木２を取り付ける。
この床構造に用いられた幅木４により、床下空間３０の空気を隙間３２から蛇行連通路４ａを経由して床上空間３１に逃がし、空気の圧縮・膨張を防止している。尚、「きわ根太なし工法」の床構造では、支持脚１７は、ナット１７ａと、ボルト１７ｂと、ゴム座１７ｃとから構成される。そして、ナット１７ａの先端が床２５に嵌装される。また、ゴム座１７ｃは、床上で転倒したときの衝撃を緩和する機能を持っている。ところで、幅木２は、接着剤等にて前面幅木３と後面幅木４とを予め固着した構成でも良いが、上記床構造の施工中に後面幅木４に重ねて、前面幅木３を後から固着する構成でも良い。
上記構成の幅木２において、蛇行連通路４ａは、図３に示す矢印のように、通路を流れる空気を通路途中で左右に分流し、他方の通路から分流して来た空気と衝突させて、空気の流動エネルギーを減らす働きをする。この働きにより、空気と共に抜け出る床下音の床上への直接伝搬を抑制し、室内騒音を低減する効果が得られる。すなわち、本第２実施例の構成によって、幅木２の蛇行連通路４ａが、床下空間と床上空間とを連通して床振動の増幅を防止し、且つ空気と共に抜け出る床下音の床上への直接伝搬を抑制して、室内騒音を低減する幅木を提供することができる。
【００１７】
（実施例３）
次に、本発明による第３実施例の幅木について、図５の第３実施例の幅木を背面側から見て示した斜視図を参照して説明する。
図５に示す幅木５は、前述の第１実施例の幅木１において、蛇行連通路１ａの上部を塞ぐ通気抵抗手段６を設けた構成である。換言すれば、幅木５は、背面にクランク形状に曲がった連続溝を形成し上下を連通する蛇行連通路１ａを有する幅木１の本体と、この蛇行連通路１ａの上部にあって当該蛇行連通路１ａを塞ぐ通気抵抗手段６とから構成される。尚、蛇行連通路１ａの上部とは、床下からの空気が床上に流出する空気出口部に該当する。
ところで、床の太鼓現象を防ぐには空気の出し入れが行われることが要件であり、通気抵抗手段６は、「床下から床上へ」及び「床上から床下へ」空気を通す部材、即ち、可逆通気性を備える部材が望まれる。従って、通気抵抗手段６は、例えば、不織布、フェルト、ガラスウール、合成樹脂の連続発泡材などの可逆通気性を有する軟質部材である。また、通気抵抗手段６を蛇行連通路１ａに接着剤等で固着することが好ましい。
本第３実施例の幅木５であれば、通気抵抗手段６は空気を通すと共に通気抵抗となり、第１実施例および第２実施例の蛇行連通路１ａの働きに加えて、空気と共に床下音が直に室内に抜け出ることを一段と防止するので、床下音の室内への直接伝搬を抑制し、室内騒音を更に低減することができる。
尚、上記第３実施例の幅木５において、通気抵抗手段６を当該幅木１の上部（または最上部、または空気出口部）に設けて蛇行連通路１ａを塞ぐ構成とすれば、室内の塵埃が幅木内部に侵入することを防止できる効果が得られる。しかしながら、通気抵抗手段６の配置を問わず蛇行連通路１ａを塞ぐことにより、発明の目的は達せられるので、上部に配置することに拘泥するものではない。一方、例えば非通気性のフイン部材で蛇行連通路を塞ぐ構成は、通気抵抗手段となるも可逆通気性が損なわれるので好ましくないと言える。
【００１８】
（実施例４）
次に、本発明による第４実施例の幅木について、図６の第４実施例の幅木を背面側から見て示した斜視図から説明する。
図６に示す幅木７は、当該背面に直線溝を形成し上下方向に連通する複数の直行連通路８ａを有する幅木本体８と、それぞれの直行連通路８ａの上部に固着しそれぞれの直行連通路８ａを塞いだ複数の通気抵抗手段６とから構成される。
本第４実施例の幅木本体８の直行連通路８ａは、床下空間と床上空間とを連通する空気連通手段となり、通気抵抗手段６は、直行連通路８ａを流れる空気を通すと共に、当該空気の通気抵抗となり、空気と共に床下音が直に室内に抜け出ることを防止する。従って、床振動の増幅を防止し、且つ床下音の室内への直接伝搬を抑制し、室内騒音を低減する効果がある。
【００１９】
（実施例５）
次に、第５実施例の幅木について説明する。図７は、本発明による第５実施例の幅木を示す図で、図７（ａ）は幅木の側面図であり、図７（ｂ）は幅木の部分前面図である。また、図８は、本第５実施例の幅木を用いた床構造を示す断面図である。
図７に示す幅木１０は、図６に示す第４実施例の幅木７の幅木本体８において、幅木本体８の底部に横溝８ｂを形成し、この横溝８ｂに振動伝搬防止手段９を挿設した構成である。この振動伝搬防止手段９は、ガイド・クッション部９ａと、挿入部９ｂとを有している。そして、ガイド・クッション部９ａは、幅木先行工法及び幅木後付工法において、そのクッション性によって、床２５から幅木１０に伝わる振動を吸収して、振動伝搬を防止する効果を発揮する。更に、幅木先行工法における床挿入時のガイドの役割を果たし、床挿入作業を容易にする効果を持っている。一方、挿入部９ｂは、テーパ形状の抜け防止手段を有しており、挿入部９ｂが横溝８ｂから容易に抜けないように振動伝搬防止手段９を幅木本体８にしっかりと係合するという作用効果を持っている。そして、振動伝搬防止手段９は、クッション性、即ち振動吸収性を有する材料から、例えば、弾力性のあるゴム材や軟質ＰＶＣ等から作られた部材である。尚、幅木本体の底部に横溝が無く、また振動伝搬防止手段に挿入部も無く、単に幅木底部に振動伝搬防止手段を接着した構成でも良い。
一方、図８に示す床構造は、床２５と壁２６との間に隙間３２を設けて、きわ根太２３の上に床２５を置き、この隙間３２を隠しながら壁際に幅木１０を取り付けた構造である。この幅木１０を取り付けるとき、ガイド・クッション部９ａを内側に折り込み、内部に空気を包み込む構成とする。即ち、振動伝搬防止手段９に二重クッション性を持たせる構成にすることにより、その振動伝搬防止の効果を更に増すことができる。また、床２５の面より少し浮かした状態で幅木１０を取り付ける床構造にすることにより、一段と振動伝搬防止効果を増大することも可能である。
上記第５実施例の幅木１０の構成により、直行連通路８ａ及び通気抵抗手段６の働きにより、床下空間と床上空間とを連通して床振動の増幅を防止すると共に、空気と共に抜け出る床下音の床上への直接伝搬を抑制し、室内騒音を低減することができる。そして、振動伝搬防止手段９が床２５からの振動を吸収し、床振動が幅木１０を介して壁２６に伝搬することを防止すること、即ち、幅木を介して床振動が伝わり生じる壁振動等に起因する騒音禍を回避することもできる。
尚、振動伝搬防止手段９を設けた幅木構成を、図６に示す第４実施例の幅木７を例にして説明したが、第１から第３実施例の幅木に振動伝搬防止手段を設けた構成であっても、本発明の目的は達成される。
【００２０】
（実施例６）
次に、本発明による第６実施例の幅木について、図９の第６実施例の幅木を前面側から見て示した斜視図と、図１０の第６実施例の幅木を用いた幅木先行工法による床構造を示す断面図を参照して説明する。
図９に示す幅木１１は、当該幅木１１の床に接する底部から下方に延長した高さ寸法Ｈの定規１１ｄを有する構成である。換言すれば、幅木先行工法の幅木・根太間の隙間と床厚さとの合わせ作業に利用するための定規１１ｄを、幅木１１の底部に設けた構成である。この幅木１１の上下方向に形成した定規１１ｄの高さ寸法Ｈは、図１０に示す床２５の厚さに応じた寸法Ｈ１となっている。
一方、図１０に示す幅木先行工法による床構造は、図１０（ａ）のように、きわ根太２３の上面に定規１１ｄの最下部（または最下面）を当て、壁２６に幅木１１を先に取り付ける。このとき、きわ根太２３の上面と幅木１１の床２５に接する底部（または底面）との間に、寸法Ｈの隙間を確保する。その後、図１０（ｂ）のように、厚さ寸法Ｈ１の床２５を、確保した寸法Ｈの隙間に挿入しながら、床２５をきわ根太２３に載置する構造である。
尚、定規１１ｄの高さ寸法Ｈは、挿入する床２５の厚さ寸法Ｈ１に適応する寸法に、別途設定する。標準的には、Ｈ≧Ｈ１の関係で設定することが好ましいが、床の種類によっては、Ｈ＜Ｈ１の関係であっても可である。また、Ｈ＞Ｈ１の関係のとき、幅木１１の床２５に接する底部（または底面）ではなく、厳密に言えば、きわ根太２３の上面と幅木１１の床２５に対面する底部（または底面）との間に、寸法Ｈの隙間を確保することになる。
この第６実施例の幅木１１の構成によって、その定規１１ｄが床の厚さに適応した隙間を確保するので、幅木先行工法において、幅木・根太間の隙間と床の厚さの合わせ作業を容易にする効果が得られる。
【００２１】
（実施例７）
次に、本発明による第７実施例の幅木について、図１１の第７実施例の幅木を背面側から見て示した斜視図を参照して説明する。
本第７実施例の幅木１２は、図３に示す第２実施例の幅木２に上記第６実施例と同様な定規を設けた構成である。即ち、図１１に示す幅木１２は、前面幅木３と後面幅木１３とから構成される。そして後面幅木１３は、背面にクランク形状の連続溝を形成し上下連通する蛇行連通路１３ａと、当該後面幅木１３の底部から下方に延長した高さ寸法Ｈの定規１３ｄとを有する構成である。尚、前面幅木３と後面幅木１３とを、予め固着して置く構成でも、幅木取り付け施工時に、後から固着する構成のどちらでも可である。
この第７実施例の幅木１２の構成によって、蛇行連通路１３ａが床の太鼓現象を防止すると共に、空気と共に抜け出る床下音の床上への直接伝搬を抑制し、室内騒音を低減する。且つ、その定規１３ｄが床の厚さに適応した隙間を確保するので、幅木先行工法において、幅木・根太間の隙間と床厚さの合わせ作業を容易にする効果が得られる。
【００２２】
（実施例８）
次に、本発明による第８実施例の幅木について、図１２の第８実施例の幅木を背面側から見て示す斜視図を参照して説明する。
図１２に示す幅木１４は、当該背面に直線溝を形成し上下を連通する複数の直行連通路１５ａと当該底部から下方に延長した高さ寸法Ｈの定規１５ｄとを有する幅木本体１５と、各々の直行連通路１５ａの上部に固着しそれぞれの直行連通路１５ａを塞いだ１本の通気抵抗手段１６とから構成される。
この第８実施例の幅木１４の構成によって、直行連通路１５ａ及び通気抵抗手段１６の働きにより、床の太鼓現象を防止すると共に、空気と共に抜け出る床下音の床上への直接伝搬を抑制し、室内騒音を低減する。且つ、その定規１５ｄが床の厚さに適応した隙間を確保するので、幅木先行工法において、幅木・根太間の隙間と床厚さの合わせ作業を容易にする効果を呈示する。
尚、第８実施例の幅木１４では、幅木本体１５の上部に段差１５ｂを設けて、各々の直行連通路１５ａと連通し横方向に延長した横溝を形成し、この横溝に細長い一本の通気抵抗手段１６を固着して、各々の直行連通路１５ａを塞ぐ構成とする。この横溝に一本の横長の通気抵抗手段１６を固着し当該連通路を塞ぐ構成は、第３、第４および第７実施例の幅木にも適用できる。そして、本第８実施例の幅木構成を含み、一本の通気抵抗手段１６で当該連通路を塞ぐ幅木構成には、室内騒音を低減する効果があると共に、通気抵抗手段の固着作業が容易となる効果もある。
【００２３】
（実施例９）
次に、第９実施例の幅木について説明する。図１３は、本第９実施例の幅木を示す図で、図１３（ａ）は、幅木の部分背面図であり、図１３（ｂ）は、幅木の側面図である。また、図１４は、第９実施例の後面幅木を示す図で、図１４（ａ）は、後面幅木の部分背面図であり、図１４（ｂ）は、図１４（ａ）のＰ−Ｐ断面図である。図１５は、第９実施例の幅木を用いた幅木先行工法による床構造を示す断面図である。
図１３に示す幅木４０は、前面幅木４１と後面幅木４２とから構成し、後面幅木４２は、当該前面幅木４１の背面に蛇行連通路４２ａを形成して床下空間と床上空間とを連通するよう構成している。また、本第９実施例の幅木４０では、前面幅木４１の底部から下方に延長した高さ寸法Ｈの定規４２ｄを後面幅木４２に設けている。さらに、蛇行連通路４２ａを塞ぐ通気抵抗手段４３を設けている。またさらに、前面幅木４１の底部に彫り込んだ横溝４１ｂに、振動伝搬防止手段４４を嵌装している。そして、前面幅木４１は、例えば幅木本体としてのパーティクルボードの表面に、表装材としての化粧シートを貼って成形したものである。
一方、図１４に示す後面幅木４２は、上方に延長する複数の出っ張り部４２ｂと、横方向に延長している凸部４２ｃと、下方に延長する複数の定規４２ｄとから構成され、各出っ張り部４２ｂの間に上方スリット部４２ｅと、各定規４２ｄの間に下方スリット部４２ｆとが形成されて、例えば合成樹脂から薄板状に一体成形された部材である。これらの前面幅木４１と後面幅木４２とが組み合わされたとき、凸部４２ｃ及び各スリット部４２ｅ、４２ｆの部位に、図１３に示す幅木４０の蛇行連通路４２ａが形成される。また、後面幅木４２の凸部４２ｃを前面幅木４１の凹部４１ａに嵌め込み、両者をしっかりと固着する構成である。
【００２４】
図１５に示す幅木先行工法による床構造では、きわ根太２３の上面に定規４２ｄの下端を当て、壁２６に幅木４０を先に取り付ける。この定規４２ｄによって、きわ根太２３の上面と幅木４０の底面との間に、所定の隙間Ｈ２（図示しない）が確保される。本第９実施例の場合では、この隙間Ｈ２は、床の厚さ寸法Ｈ１及び定規４２ｄの高さ寸法Ｈの他に、振動伝搬防止手段４４の厚さ寸法Ｄ（図示しない）を考慮に入れて定められる。その後、床２５を所定隙間Ｈ２に挿入しながら、きわ根太２３に載置する構造である。
上記施工の際に、振動伝搬防止手段４４のクッション先端部４４ｂを折り曲げて、床２５と定規４２ｄとの間に挟み込むことが可能な寸法に、幅木４０の振動伝搬防止手段４４の寸法を設定している。即ち、図１５に示す床構造において、床２５と定規４２ｄとの間に隙間３２ａを確保することが可能な構成にする。クッション先端部４４ｂで隙間３２ａを確保する構成によって、幅木４０（即ち、定規４２ｄの後面幅木４２）を介して床振動が壁２６に伝搬することを防止することができる。
上記床構造に用いられた幅木４０により、凸部４２ｃ及び各スリット部４２ｅ、４２ｆにて形成した蛇行連通路４２ａを通して、床下空間３０の空気を床上空間３１に逃がし、床下空気の圧縮・膨張を防止している。また、本第９実施例の幅木４０では、後面幅木４２を合成樹脂の一体成形品として、凸部４２ｃ及び各スリット部４２ｅ、４２ｆの加工が容易な構成にしている。即ち、蛇行連通路４２ａを、前面幅木４１の背面に簡単に形成することができ、更に、幅木４０の下方に延長する定規４２ｄを一体で容易に成形することができる効果を得ている。尚、幅木４０は、前面幅木４１と後面幅木４２とを接着剤等にて、予め固着する構成でも良いが、後面幅木４２を壁２６に固着し、その後に前面幅木４１を後面幅木４２に重ねて、床構造の施工中に固着する構成でも良い。
以上のように、第９実施例の幅木４０の構成によって、床の太鼓現象を防止すると共に、床下音の床上への直接伝搬を抑え、且つ床振動の壁への伝搬を抑止して、室内騒音を低減することができる。更に、幅木・根太間の隙間と床厚さの合わせ作業が容易になり、幅木先行工法に好適な幅木を提供することができる。
【００２５】
（実施例１０）
次に、本発明による第１０実施例の幅木について、図１６の第１０実施例の幅木を背面側から見て示した斜視図を参照し説明する。
図１６に示す幅木４６は、幅木本体４７と、幅木本体４７の背面に設けられ直行連通路を形成している連通部材４８と、連通部材４８の上部に設けられ当該直行連通路を塞ぐ通気抵抗手段４９と、幅木本体４７の底部に設けられた振動伝搬防止手段９とから構成される。そして、幅木本体４７は、例えばパーティクルボードの表面に化粧シートを貼って作成したものである。また、連通部材４８は、四方を薄い壁４８ｂで囲まれて内部が略四角形の空洞になっている複数の直行連通路４８ａを形成しており、例えば合成樹脂で一体成形したものである。
さらに、通気抵抗手段４９は、基布部４９ａと、この基布部４９ａに短繊維を植毛したブラシ部４９ｂとから構成され、例えば化学繊維材料から作成したものである。換言すれば、通気抵抗手段４９は、略歯ブラシ形状になっている繊維材料であり、可逆通気性と通気抵抗性とを有する軟質部材である。そして、通気抵抗手段４９は、連通部材４８の上部にあって直行連通路４８ａを塞いでいる。従って、連通部材４８及び通気抵抗手段４９は、床下空間と床上空間とを連通する空気連通手段となり、且つ、直行連通路４８ａを流れる空気の通気抵抗となり、床の太鼓現象を防ぐと共に、床下音が直に室内に抜け出ることを防止する。
一方、振動伝搬防止手段９は、例えば軟質ＰＶＣからなり、そのクッション性が振動を吸収して振動の伝搬を防止する。
本第１０実施例の構成によって、床振動の増幅を防止し、且つ、床下音の床上への直接伝搬を抑制し、且つ、床振動の壁への伝搬を抑止して、室内騒音を低減する幅木を提供することができる。
【００２６】
（実施例１１）
次に、本発明による第１１実施例の幅木について、図１７の第１１実施例の幅木を前面側から見て示す斜視図と、図１８の第１１実施例の幅木を用いた床構造を示す断面図とを参照して説明する。
図１７に示す幅木５１は、幅木本体５２と、幅木本体５２の床に接する底部に設けられた空気連通手段５３とから構成される。そして、幅木本体５２は、例えばパーティクルボードの表面に化粧シートを貼って作成したものである。また、空気連通手段５３は、前述の第１０実施例で採用した部材と同様に、基布部とこの基布部に短繊維を植毛したブラシ部とから構成され、例えば化学繊維材料から作成したものであり、可逆通気性と通気抵抗性とクッション性とを兼ね備える軟質部材である。尚、可逆通気性、通気抵抗性及びクッション性を有する他の軟質部材として、不織布、フェルト、ガラスウール、合成樹脂の連続発泡材等がある。
一方、図１８に示す床構造は、床２５と壁２６との間に隙間３２を設け、所定位置に立設した複数の支持脚１７に床２５を嵌めて置き、その後に、隙間３２を隠しながら壁際に幅木５１を取り付けた構造である。この時、空気連通手段５３のブラシ部の先端を床２５に触れる程度に当てて、幅木５１を取り付けることが望ましい。
従って、上記床構造に用いられた幅木５１により、その空気連通手段５３の可逆通気性が床下空間３０と床上空間３１とを連通し、また、通気抵抗性が流れる空気の通気抵抗となり、さらに、クッション性が振動を吸収するので、床の太鼓現象を防止し、床下音の床上への直接伝搬を抑え、且つ床振動の壁への伝搬を抑止して、室内騒音を低減することができる効果が得られる。またさらに、空気連通手段５３のブラシ部は、床上から床下への塵埃等の侵入を防止するという効果も呈示する。
【００２７】
【発明の効果】
以上のように、本発明の幅木は、床下空間と床上空間とを連通する空気連通手段として、幅木の背面に蛇行連通路を設けた構成である。この構成によれば、蛇行連通路は、流入空気を左右に分流し再び合流させて、分流して来た空気同士を衝突させて、渦等の通気抵抗を生じさせることができる。この通気抵抗と連通の働きにより、床の太鼓現象を防止すると共に、床下音の床上への直接伝搬を抑えて、室内騒音を低減することのできる幅木を提供するという効果がある。
また、本発明の幅木は、蛇行連通路または直行連通路を塞ぐ通気抵抗手段を設けた構成である。この構成によれば、通気抵抗手段が通気抵抗となる。この抵抗により床下音の床上への直接伝搬を抑えて、室内騒音を低減することのできる幅木を提供するという効果がある。
また、本発明の幅木は、幅木底部に振動伝搬防止手段を設けた構成である。この構成によれば、振動伝搬防止手段が床からの振動を吸収し、床振動が幅木を介して壁に伝搬することを防止することができる。このため、床振動の壁への伝搬を抑止し、室内騒音を低減するという効果がある。
また、本発明の幅木は、幅木底部に幅木先行工法における合わせ作業用の定規を有する構成である。この構成によれば、後から挿入する床の厚さに適合する隙間を定規で確保することができる。このため、本発明の幅木は、幅木・根太間の隙間と床の厚さの合わせ作業が容易となり、幅木先行工法に好適な幅木を提供するという効果がある。
【図面の簡単な説明】
【図１】本発明による第１実施例の幅木を示す斜視図
【図２】第１実施例の幅木を用いた床構造を示す断面図
【図３】本発明による第２実施例の幅木を示す斜視図
【図４】第２実施例の幅木を用いた床構造を示す断面図
【図５】本発明による第３実施例の幅木を示す斜視図
【図６】本発明による第４実施例の幅木を示す斜視図
【図７】本発明による第５実施例の幅木を示す図
【図８】第５実施例の幅木を用いた床構造を示す断面図
【図９】本発明による第６実施例の幅木を示す斜視図
【図１０】第６実施例の幅木を用いた幅木先行工法による床構造を示す断面図
【図１１】本発明による第７実施例の幅木を示す斜視図
【図１２】本発明による第８実施例の幅木を示す斜視図
【図１３】本発明による第９実施例の幅木を示す図
【図１４】第９実施例の後面幅木を示す図
【図１５】第９実施例の幅木を用いた幅木先行工法による床構造を示す断面図
【図１６】本発明による第１０実施例の幅木を示す斜視図
【図１７】本発明による第１１実施例の幅木を示す斜視図
【図１８】第１１実施例の幅木を用いた床構造を示す断面図
【図１９】従来の幅木を用いた床構造を示す断面図
【図２０】従来の幅木を用いた幅木後付工法による床構造を示す断面図
【図２１】従来の幅木を用いた幅木先行工法による床構造を示す断面図
【符号の説明】
１、２、５、７、１０、１１、１２、１４、１８、１９　幅木
１ａ、４ａ、８ａ、１３ａ　蛇行連通路
３　　　前面幅木
４、１３　後面幅木
６、１６　通気抵抗手段
８、１５　幅木本体
８ａ、１５ａ　直行連通路
８ｂ、４１ｂ　横溝
９　　　振動伝搬防止手段
９ａ　　ガイド・クッション部
９ｂ　　挿入部
１１ｄ、１３ｄ、１５ｄ　定規
１５ｂ　段差
１７、２１、２２　支持脚
１７ａ　ナット
１７ｂ　ボルト
１７ｃ　ゴム座
１８ａ　空気連通手段
２０　　床基盤
２３　　きわ根太
２４　　壁基盤
２５　　床
２６　　壁
３０　　床下空間
３１　　床上空間
３２、３２ａ、３３　隙間
４０　　幅木
４１　　前面幅木
４１ａ　凹部
４１ｂ　横溝
４２　　後面幅木
４２ａ　蛇行連通路
４２ｂ　出っ張り部
４２ｃ　凸部
４２ｄ　定規
４２ｅ　上方スリット部
４２ｆ　下方スリット部
４３　　通気抵抗手段
４４　　振動伝搬防止手段
４４ｂ　クッション先端部
４６、５１　幅木
４７、５２　幅木本体
４８　　連通部材
４８ａ　直行連通路
４８ｂ　壁
４９　　通気抵抗手段
４９ａ　基布部
４９ｂ　ブラシ部
５０　　振動伝搬防止手段
５３　　空気連通手段
【図１】
2004036196.tif 000003
【図２】
2004036196.tif 000004
【図３】
2004036196.tif 000005
【図４】
2004036196.tif 000006
【図５】
2004036196.tif 000007
【図６】
2004036196.tif 000008
【図７】
2004036196.tif 000009
【図８】
2004036196.tif 000010
【図９】
2004036196.tif 000011
【図１０】
2004036196.tif 000012
【図１１】
2004036196.tif 000013
【図１２】
2004036196.tif 000014
【図１３】
2004036196.tif 000015
【図１４】
2004036196.tif 000016
【図１５】
2004036196.tif 000017
【図１６】
2004036196.tif 000018
【図１７】
2004036196.tif 000019
【図１８】
2004036196.tif 000020
【図１９】
2004036196.tif 000021
【図２０】
2004036196.tif 000022
【図２１】
2004036196.tif 000023